(57)【要約】【課題】異なる周波数の標準時刻電波信号を選択的に受信して時刻修正を行う際に、別途表示装置を設けることなく、受信周波数を示すことができ、さらにユーザの嗜好に合った運針形態で秒針を駆動する電波修正時計を提供する。【解決手段】設定された運針形態で秒針を駆動する秒針駆動系１２０と、時分針を駆動する時分針駆動系１３０と、複数の異なる周波数の標準時刻電波信号を選択的に受信する標準電波受信系１１と、標準電波受信系１１が受信した標準時刻電波信号の受信周波数に基づいて秒針の運針形態を設定し、設定された運針形態で秒針駆動系１２０の秒針用モータ１２１に運針形態に応じたパルス間隔の駆動パルス信号を印加して秒針を運針させる制御回路１４とを設ける。【選択図】  図１
2005024319.tif 000002
【特許請求の範囲】
【請求項１】
少なくとも秒針を含む指針により時刻表示を行う電波修正時計であって、
前記指針を駆動し、設定された運針形態をもって前記秒針を駆動する指針駆動系と、
複数の異なる周波数の標準時刻電波信号を選択的に受信する受信手段と、
前記受信手段が受信した標準時刻電波信号の受信周波数に基づいて、前記秒針の運針形態を設定し、前記設定された運針形態で前記指針駆動系に前記秒針を運針させる制御手段と
を有する電波修正時計。
【請求項２】
前記指針駆動系は、前記秒針を駆動させる秒針駆動用モータを含み、
前記制御手段は、前記標準時刻電波信号の受信周波数に基づいて前記秒針の運針形態を設定し、前記設定された運針形態に応じたパルス間隔の駆動パルス信号を前記秒針駆動用モータに印加する
請求項１に記載の電波修正時計。
【請求項３】
前記制御手段は、前記標準時刻電波信号の受信周波数に基づいて、少なくとも、前記秒針駆動用モータに、等間隔で前記駆動パルス信号を印加する第１の運針形態、または前記第１の運針形態と異なるタイミングで前記駆動パルス信号を印加する第２の運針形態のいずれかを設定し、前記設定された運針形態に応じたパルス間隔の駆動パルス信号を前記秒針駆動用モータに印加する
請求項２に記載の電波修正時計。
【請求項４】
前記制御手段は、前記受信手段に、前記複数の異なる周波数の標準時刻電波信号の受信状態に基づいて、内部時計が計時する時刻情報を修正するための前記標準時刻電波信号の受信周波数を選択させ、前記受信手段が選択した標準時刻電波信号の受信周波数に基づいて前記運針形態を設定し、前記設定された運針形態に応じたパルス間隔の駆動パルス信号を前記秒針駆動用モータに印加する
請求項２または３に記載の電波修正時計。
【請求項５】
外部操作により前記秒針の運針形態を設定する運針形態設定手段を有し、
前記制御手段は、前記運針形態設定手段により設定された運針形態で前記指針駆動系に前記秒針を運針させる
請求項１〜４のいずれかに記載の電波修正時計。
【発明の詳細な説明】
【０００１】
【発明の属する技術分野】
本発明は、例えば、少なくとも秒針を含む指針により時刻表示を行い、標準時刻電波信号を基に時刻情報の修正を行う電波修正時計に関する。
【０００２】
【従来の技術】
従来、時計の秒針の運針形態としては、ステップ運針や連続運針等が知られている。この時計では、予め設定された運針形態で秒針を駆動するために、予め輪列の減速比や秒針を駆動する駆動用モータに印加する駆動パルス信号が設定されている。近年、ユーザの嗜好の多様化により、秒針の運針形態が変化する時計が望まれている。
【０００３】
ところで、標準時刻電波信号を受信し、その標準時刻電波信号を基に指針による表示時刻を修正する電波修正時計が知られている。また、標準時刻電波信号を受信する際に、受信中か受信不可かにより秒針の運針形態を変えて、ユーザに受信状態を示す電波修正時計が知られている（例えば、特許文献１参照。）。
【０００４】
【特許文献１】
特開２００１−１５９６８９号公報（第１−４図）
【０００５】
【発明が解決しようとする課題】
近年、従来から送信されている標準時刻電波信号の周波数と異なる周波数の標準時刻電波信号を送信する送信局が新設され、いずれかの周波数の標準時刻電波信号を選択して受信し、時刻情報の修正を行う電波修正時計も知られている。
【０００６】
例えば、受信周波数の設定スイッチが設けられている電波修正時計では、ユーザは設定スイッチにより受信周波数を知ることができるが、自動で受信周波数を選択する電波修正時計の場合には、別途、受信周波数を表示する液晶表示装置等を設ける必要がある。
【０００７】
このため、別途、受信周波数用の表示装置を設けることなく、受信周波数を示すことができる電波修正時計が望まれている。また、例えば、ユーザの嗜好に合った運針形態で秒針を駆動する電波修正時計が望まれている。
【０００８】
本発明は、かかる事情に鑑みてなされたものであり、その目的は、異なる周波数の標準時刻電波信号を選択的に受信して時刻修正を行う際に、別途、受信周波数用の表示装置を設けることなく、受信周波数を示すことができる電波修正時計を提供することにある。
【０００９】
また、本発明の他の目的は、ユーザの嗜好に合った運針形態で秒針を駆動する電波修正時計を提供することにある。
【００１０】
【課題を解決するための手段】
前記目的を達成するために、本発明の観点によれば、少なくとも秒針を含む指針により時刻表示を行う電波修正時計であって、前記指針を駆動し、設定された運針形態をもって前記秒針を駆動する指針駆動系と、複数の異なる周波数の標準時刻電波信号を選択的に受信する受信手段と、前記受信手段が受信した標準時刻電波信号の受信周波数に基づいて、前記秒針の運針形態を設定し、前記設定された運針形態で前記指針駆動系に前記秒針を運針させる制御手段とを有する。
【００１１】
本発明の観点によれば、指針駆動系では、指針を駆動し、設定された運針形態をもって秒針を駆動する。
受信手段では、複数の異なる周波数の標準時刻電波信号を選択的に受信する。
制御手段では、受信手段が受信した標準時刻電波信号の受信周波数に基づいて、秒針の運針形態を設定し、設定された運針形態で指針駆動系に秒針を運針させる。
【００１２】
【発明の実施の形態】
本実施形態に係る電波修正時計は、複数の異なる周波数の標準時刻電波信号を選択的に受信し、その標準時刻電波信号の受信周波数に基づいて、秒針の運針形態を設定し、設定された運針形態で指針駆動系を駆動させて秒針を運針させる。以下、図面を参照しながら説明する。
【００１３】
図１は、本発明に係る電波修正時計の一実施形態の電気的な機能ブロック図である。図２は、図１に示した電波修正時計の構成図である。図３は、図２に示した電波修正時計の断面の拡大図である。
【００１４】
本実施形態に係る電波修正時計１は、例えば図１に示すように、標準電波受信系１１、スイッチ群１２、発振回路１３、制御回路１４、ドライブ回路１５、報知手段としての発光素子１６、バッファ回路１７、ドライブ回路１８、時計本体１００、秒針用モータ１２１、時分針用モータ１３１、光検出センサ部１４０、手動修正系１５０、トランジスタＱ１，Ｑ２、および抵抗素子Ｒ１〜Ｒ５、キャパシタＣ２，Ｃ３，Ｃ１２０１〜Ｃ１２０２を有する。
標準電波受信系１１は本発明に係る受信手段に相当し、制御回路１４は本発明に係る制御手段に相当する。秒針用モータ１２１は本発明に係る秒針用駆動モータに相当する。
【００１５】
標準電波受信系１１は、例えば、受信アンテナ１１ａと、不図示の標準電波送信局から送信された標準時刻情報（時刻コードとも言う）を含む標準電波信号を受信し、所定の処理を行い、パルス信号Ｓ１１として制御回路１４に出力する長波受信回路１１０を有する。
長波受信回路１１０は、例えば不図示のＲＦアンプ、検波回路、整流回路、および積分回路を有する。
【００１６】
長波受信回路１１０は、異なる複数の周波数を受信するために、例えば詳細には図１に示すように、４０ｋＨｚ受信回路１１１、６０ｋＨｚ受信回路１１２、および切換部１１３を有する。
【００１７】
４０ｋＨｚ受信回路１１１は、受信アンテナ１１ａから周波数４０ｋＨｚの標準電波を復調し、受信信号Ｓ１１１を出力する。６０ｋＨｚ受信回路１１２は、受信アンテナ１１ａから周波数６０ｋＨｚの標準電波を復調し、受信信号Ｓ１１２を出力する。
【００１８】
切換部１１３は、制御回路１４からの制御信号ＣＴＬ１１３に応じて、４０ｋＨｚ受信回路１１１と６０ｋＨｚ受信回路１１２を切換える。
切換部１１３は、例えば図１に示すように、端子１１３ａ、端子１１３ｂ、および端子１１３ｃを有する。
切換部１１３は、制御回路１４から４０ｋＨｚ受信回路１１１に切換えさせる制御信号ＣＴＬ１１３を受信した場合には端子１１３ａと端子１１３ｃを接続し、制御回路１４から６０ｋＨｚ受信回路１１２に切換えさせる制御信号ＣＴＬ１１３を受信した場合には端子１１３ｂと端子１１３ｃを接続し、４０ｋＨｚ受信回路１１１および６０ｋＨｚ受信回路１１２からの受信信号を選択的（択一的とも言う）に、信号Ｓ１１として制御回路１４へ出力する。
【００１９】
なお、標準電波受信系１１で受信される、日本標準時を高精度で伝える長波の標準電波は、以下に示すような形態で送られる。
具体的には、時刻コードは１，０，Ｐの３種類の信号パターンからなり、１ｓｅｃの１信号パターン中の１００％振幅期間幅によって区別され、１，０，Ｐはそれぞれ５００ｍｓ，８００ｍｓ，２００ｍｓとなっている。変調方式は、最大値１００％，最小値１０％の振幅変調である。
そして、受信状態が良好な場合には、標準電波受信系１１からは、標準電波信号に応じたパルス信号として信号Ｓ１１が制御回路１４に出力される。
【００２０】
なお、日本の標準電波は独立行政法人通信総合研究所（ＣＲＬ）のもとで運用されており、周波数４０ｋＨｚの標準電波を送信する標準電波送信所および周波数６０ｋＨｚの標準電波を送信する標準電波送信所が設けられている。
標準電波受信系１１で受信される標準電波は、図４（ａ）に示すような形態で送られてくる。
【００２１】
具体的には、時刻コードは１，０，Ｐの３種類の信号パターンからなり、１ｓｅｃの１信号パターン中の１００％振幅期間幅によって区別され、１，０，Ｐはそれぞれ５００ｍｓ，８００ｍｓ，２００ｍｓとなっている。変調方式は、最大値１００％，最小値１０％の振幅変調である。
【００２２】
そして、受信状態が良好な場合には、標準電波受信系１１からは図４（ｂ）に示すように、標準時刻電波信号に応じたパルス信号として信号Ｓ１１が、制御回路１４に出力される。
【００２３】
この信号Ｓ１１は、例えば第１のレベルに相当するハイレベルと、第２のレベルに相当するロウレベルにより構成されている。制御回路１４は、ハイレベル、およびロウレベル、ならびに、ハイレベルからロウレベルへの立下りエッジｅｄ１、およびロウレベルからハイレベルへの立上がりエッジｅｄ２に基づいて、後述するように受信状態の評価処理を行う。エッジｅｄ１およびエッジｅｄ２を区別しない場合には、単にエッジｅｄという。
【００２４】
次に、長波標準電波の送信データについて説明する。
図５は、標準時刻電波信号の時刻コードの一例を示している。図５（ａ）は毎時１５，４５分以外のフォーマット、図５（ｂ）は、毎時１５分，４５分のフォーマットを示す。
送信情報は、分・時・１月１日からの積算日となっている。
時刻データの送信は、１ｂｉｔ／秒で１分間を１フレームとしており、このフレーム内に前述した分・時・１月１日からの積算日の情報がＢＣＤコードで提供されている。また送信されるデータは、０・１の他にＰコードというマーカーが含まれており、このＰコードは、１フレームに数カ所あり、正分（０秒）、９秒、１９秒、２９秒、３９秒、４９秒、５９秒に現れる。このＰコードが続けて現れるのは１フレーム中１回で５９秒、０秒の時だけで、この続けて現れる位置が正分位置となる。つまり分・時データ等の時刻データはこの正分位置を基準としてフレーム中の位置が決まっているためこの正分位置の検出を行わないと時刻データを取り出すことはできない。
【００２５】
スイッチ群１２は、例えばユーザにより操作され、操作に応じた信号が制御回路１４に出力される。
スイッチ群１２は、例えば図１に示すように、受信修正スイッチ１２０１、および運針切替スイッチ１２０２を有する。
運針切替スイッチ１２０２は、本発明に係る運針形態設定手段に相当する。
【００２６】
受信修正スイッチ１２０１は、例えば、強制的に表示時刻の修正を行わせる場合に操作され、その操作に応じた信号Ｓ１２０１を制御回路１４に出力する。制御回路１４は、受信修正スイッチ１２０１が操作され信号Ｓ１２０１が入力されると、標準電波受信系１１に標準時刻電波信号を受信させる。
【００２７】
運針切替スイッチ１２０２は、ユーザにより操作され、秒針の運針形態を所定の運針形態に設定する際に操作され、その操作に応じた信号Ｓ１２０２を制御回路１４に出力する。例えば、制御回路１４は、運針切替スイッチ１２０２が操作されると、信号Ｓ１２０２に基づいて複数の異なる運針形態の内、いずれかの運針形態を設定する。なお、秒針の運針形態とは秒針の運針方法のことである。
【００２８】
発振回路１３は、水晶発振器ＣＲＹおよびキャパシタＣ２，Ｃ３により構成され、所定周波数の基本クロックを制御回路１４に供給する。
【００２９】
制御回路１４は、内部時計１４０１、およびメモリ１４０２を有する。
内部時計１４０１は、例えば時カウンタ、分カウンタ、および秒カウンタ等を含む。
【００３０】
メモリ１４０２は、例えば、制御回路１４のワークスペースとして用いられる。例えば、メモリ１４０２はＲＡＭ（Ｒａｎｄｏｍ  ａｃｃｅｓｓ  ｍｅｍｏｒｙ）等で構成される。メモリ１４０２は、例えば本実施形態に係る機能を実現するためのプログラムを記憶する。
【００３１】
制御回路１４は、指針の位置検出処理は、時分針車および秒針車の位相合わせ処理、秒針の原点検索処理、時分針の原点検索処理を行い、各指針車の位置を検出した後、所定時刻に指針を設定する。
【００３２】
位相合わせ処理は、例えば、時分針車に設けられた透光部と、秒針車に設けられた透光部とを、発光素子１４２から出力された光が貫通するような位置にまで、時分針車および秒針車を駆動する。
秒針の原点検索処理は、発光素子１４２から出力された光が、秒針車に設けられた遮光部および透光部により、受光素子１４４に受光される、光のオンオフパターンに基づいて原点が検索される。
時分針の原点検索処理は、後述するように、発光素子１４２から出力された光が、時分針車に設けられた遮光部および透光部により、受光素子１４４に受光される、光のオンオフパターンに基づいて位置が検索される。
【００３３】
制御回路１４は、基準位置検出手段としての光検出センサ１４０による検出結果に基づいて分針車および時針車の基準位置を検出した後、標準電波受信系１１が受信した標準時刻電波信号に基づいて、時分針駆動系１３０に時針車および分針車を駆動させて、時針および分針に標準時刻を表示させる。
【００３４】
また、制御回路１４は、光検出センサ１４０による検出処理に基づいて秒針車および分針車の基準位置を検出した後、標準電波受信系１１が受信した標準時刻電波信号に基づいて、秒針駆動系１２０に秒針車を駆動させて、秒針を内部時計１４０１の秒カウンタに秒同期した、つまり標準時刻電波信号に秒同期した時刻表示を行わせる。
【００３５】
図６は、図２に示した電波修正時計の駆動用モータおよび制御回路を模式的に示した図である。
本実施形態に係る秒針用モータ１２１は、例えば秒針を運針する際に、運針形態として、ステップ運針や連続運針を行わせるための駆動用モータである。
例えば秒針用モータ１２１は、図６に示すように、端子ＴＯ１、および端子ＴＯ２を有する。端子ＴＯ１および端子ＴＯ２は、制御回路１４に接続されている。
【００３６】
図７は、図２に示した電波修正時計の駆動用モータのロータ付近の拡大図である。
ロータ１２１ｃは、図７に示すように、７番車１２７に、ロータ１２１ｃのピニオン１２１ｄが噛合するように設けられている。
ロータ１２１ｃは、例えば着磁により生成された内蔵する磁石による磁気モーメント１２１ｍを有する。
また、ロータ１２１ｃのピニオン１２１ｄには、逆回転防止のためのオニ歯１２１ｅが設けられている。オニ歯１２１ｅは、例えば図７に示すように、ロータ１２１ｃの中心を対称に２つ設けられている。
【００３７】
このオニ歯１２１ｅは、例えばロータ１２１ｃが正回転時には、ピニオン１２１ｄのオニ歯１２１ｅが７番車１２７に、かかることなく回転可能である。
また、例えば指針が設けられる輪列を介してロータ１２１ｃに逆回転方向に負荷がかかると、詳細には７番車１２７を介して逆回転方向に負荷がかかると、ロータ１２１ｃのオニ歯１２１ｅが、７番車１２７と噛合い逆回転を防止する。また、このオニ歯１２１ｅはロータ１２１ｃの誤作動等による逆回転を防止する。
【００３８】
制御回路１４は、標準電波受信系１１が受信した標準時刻電波信号の受信周波数に基づいて、秒針の運針形態を設定し、設定された運針形態で指針駆動系に秒針を運針させる。
詳細には、制御回路１４は、標準時刻電波信号の受信周波数に基づいて秒針の運針形態を設定し、設定された運針形態に応じたパルス間隔の駆動パルス信号を秒針用モータ１２１に印加して、秒針を運針する。
より具体的には、制御回路１４は、標準時刻電波信号の受信周波数に基づいて、少なくとも、秒針用モータ１２１に、等間隔で駆動パルス信号を印加する第１の運針形態、または第１の運針形態と異なるタイミングで駆動パルス信号を印加する第２の運針形態のいずれかを設定し、設定された運針形態に応じたパルス間隔の駆動パルス信号を秒針用モータ１２１に印加する。
【００３９】
図８は、図１に示した電波修正時計の運針形態を説明するための図である。
例えば詳細には、制御回路１４は、秒針の運針形態として、秒針が連続的に運針する連続運針と、連続的でない運針、例えば１秒間の内、所定の時間連続的に秒針を移動させ、１秒間の内の残りの時間は秒針を停止する運針（擬似ステップ運針とも言う）とを受信周波数に応じて切替える。
連続運針は本発明に係る第１の運針形態に相当し、擬似ステップ運針は本発明に係る第２の運針形態に相当する。
【００４０】
制御回路１４は、連続運針としては、例えば図８（ａ），（ｂ）に示すように、１秒間（１０００ｍｓ）に、端子ＴＯ１と端子ＴＯ２に交互に等間隔で駆動信号（制御信号ＣＴＬ１）として駆動パルス信号Ｐを印加する。
本実施形態では、例えばロータ１２１ｃから秒針車までの減速比を１／４８０とすると、秒針位置を１秒に相当する距離だけ進めるために、１秒間に１６個のハイレベルの駆動パルス信号Ｐを秒針用モータ１２１に印加する。
例えば、１つの端子に印加する駆動パルス信号Ｐのパルス間隔は１２５ｍｓであり、パルス信号Ｐがハイレベルの時間は２３．４ｍｓであり、端子ＴＯ１と端子Ｔ０２に印加するパルス信号Ｐは、１つの端子に印加する駆動パルス信号Ｐのパルス間隔１２５ｍｓの半分の時間６２．５ｍｓだけずれている。
【００４１】
制御回路１４は、擬似ステップ運針としては、例えば図８（ｃ），（ｄ）に示すように、１秒間の内の前半の０．５秒（５００ｍｓ）間に、秒針位置を１秒に相当する距離だけ連続的に秒針を移動させるために、端子Ｔ０１および端子ＴＯ２に１６個のハイレベルの駆動パルス信号Ｐを交互に印加する。
前半の０．５秒間では、例えば、１つの端子に印加する駆動パルス信号Ｐのパルス間隔は６２．５ｍｓであり、パルス信号Ｐがハイレベルの時間は３１．２５ｍｓであり、端子ＴＯ１と端子Ｔ０２に印加するパルス信号Ｐは３１．２５ｍｓだけずれている。
また、制御回路１４は、１秒間の残りの後半の０．５秒間では、ハイレベルのパルス信号Ｐを印加せずに、秒針を停止させる。
【００４２】
運針形態は、上述した形態に限られるものではない。例えば、１秒間に１６個の駆動パルス信号Ｐを秒針用モータ１２１に印加するように輪列の減速比が設定されている場合には、その駆動パルス分だけ１秒間に印加すればよく、例えば１秒間に２５０ｍｓ駆動し、２５０ｍｓ停止し、２５０ｍｓ駆動し、２５０ｍｓ停止するような運針形態であってもよいし、その他の所望の運針形態であってもよい。
【００４３】
制御回路１４による受信周波数を決定する動作を以下に説明する。
制御回路１４は、所定の時間、例えば本実施形態では８秒間の標準電波の受信信号のサンプリング（例えば３２Ｈｚ）を行い、そのサンプリングの結果に基いて受信状態を判定する。
【００４４】
詳細には、制御回路１４は、例えば４０ｋＨｚ受信回路１１１を選択させる制御信号ＣＴＬ１１３を切換部１１３に出力し、４０ｋＨｚ受信回路１１１から出力される標準電波の信号Ｓ１１１のサンプリング（例えば３２Ｈｚ）を行い、エッジｅｄを検出し、そのエッジｅｄの有無や数に基いて評価値Ａを生成する。
【００４５】
また、制御回路１４は、所定の時間、例えば１秒内の各サンプリングタイミングでの、ハイレベルまたはロウレベルの合計を求め、その合計値に基いて、標準時刻信号の揺らぎおよびノイズ量に応じて評価値Ｂを生成する。この評価値Ｂは、受信状態の安定性を示す。
【００４６】
制御回路１４は、評価値Ａおよび評価値Ｂに基いて、例えば合計評価値（評価値Ａ＋評価値Ｂ）に基いて、受信状態を評価する。
制御回路１４は、例えば上述の評価値Ａおよび／または評価値Ｂにより良好な受信状態であると判別された場合には、その良好な受信状態の標準電波の周波数を標準電波受信系１１の受信周波数に設定する。
【００４７】
また、制御回路１４は、良好でない受信状態の場合には、制御信号ＣＴＬ１１３を出力して標準電波受信系１１の受信周波数を切換え、６０ｋＨｚの標準電波を受信状態に基いて同様に評価値Ａおよび評価値Ｂを生成し、以前の受信周波数の標準電波の受信状態を示す評価値Ａおよび評価値Ｂと比較し、標準電波受信系１１に受信状態が良いほう受信周波数に設定させる。
制御回路１４は、設定された受信周波数を持って標準電波受信系１１で受信された標準電波に含まれる標準時刻信号に応じて、秒同期検出処理および時刻修正処理を行う。
【００４８】
また、制御回路１４は、上述した８秒間のサンプリング済みのデータに基づいて秒同期処理も行う。この場合には周波数選択によるオーバーヘッドを抑えることができる。
【００４９】
図９は、図１に示した電波修正時計の受信状態に応じた評価値の生成処理を説明するための図である。
図９（ａ）は受信信号のサンプリング結果を示す図であり、図９（ｂ）は評価値Ａの生成処理を説明するための図であり、図９（ｃ）は評価値Ｂの生成処理を説明するための図である。
【００５０】
制御回路１４は、例えばメモリ１４０２に所定の受信周波数の標準電波を所定のサンプリング周波数、例えば３２Ｈｚでサンプリングを行う。図９（ａ）はサンプリングした信号強度がハイレベルの場合に”１”、ロウレベルの場合に”０”とした場合に、横軸に１秒間にサンプリングした信号強度を示す。
例えば、内部時計１４０１の秒カウンタで０秒目から受信信号をサンプリングした場合に、例えば図９（ａ）の１行目に示すように、０，０，１，１，１，１，１，１，０，０，０，０，０，０，１，１，１，１，１，１，１，１，１，１，１，１，１，１，１，１，１，１と受信する。
【００５１】
次の１秒目では２行目に示すように、１，１，１，１，１，１，１，１，０，０，０，０，０，０，０，０，０，０，０，０，０，０，０，０，１，１，１，１，１，１，１，１と受信する。
以下２秒目〜８秒目も同様に受信する。この際、例えばメモリ１４０２をリングメモリとして使用する。
本実施形態では、図９（ａ）に示すように、標準電波のゼロ秒位置と内部時計１４０１が約０．２５秒ずれた場合の良好な受信状態の時の受信結果を示している。
【００５２】
制御回路１４は、受信信号のロウレベル”０”からハイレベル”１”、およびハイレベル”１“からロウレベル“０”を検出して、それぞれをエッジｅｄとし、秒毎にエッジｅｄがない場合に１、エッジがある場合に０としてｘ０〜ｘ７を生成し、そのｘ０〜ｘ７の合計数Ｘを算出する。例えば図９に示すように、０秒目〜８秒目は０であり、その合計数Ｘは０である。
【００５３】
制御回路１４は、秒毎にエッジ数ｙ０〜ｙ７を検出し、エッジ数ｙ０〜ｙ７を加算してエッジ数の合計数Ｙを算出する。
また、エッジの合計数Ｙが所定の値よりも大きい場合には、一定となるように、例えば数式（１）に示すように、合計数Ｙが３２よりも大きい値の場合に１５となるように調節し、合計数Ｚを生成する。
【００５４】
【数１】
2005024319.tif 000003
2005024319.tif 000004
【００５５】
制御回路１４は、例えば数式（２）に示すように合計数Ｘと合計数Ｚに基いて評価値Ａを算出する。
【００５６】
【数２】
2005024319.tif 000005
2005024319.tif 000006
【００５７】
制御回路１４は、図９（ａ）に示すようにロウレベルを０、ハイレベルを１とした場合に、８秒間の同一タイミング毎に合計して、合計数ｂ０〜ｂ３１を生成し、タイミング毎のレベルの変化を評価する。合計数ｂ０〜ｂ３１を単に合計数ｂとも言う。
【００５８】
制御回路１４は、例えば図９（ａ）に示すような場合に、合計数ｂ０〜ｂ３１それぞれは、５，６，８，８，８，８，８，８，０，０，０，０，０，０，１，１，１，１，１，１，１，１，１，４，５，５，５，５，５，５，５，５とする。
【００５９】
制御回路１４は、合計数ｂに基づいて、ロウレベル“Ｌ（０）“の安定度ＳＬを生成する。
制御回路１４は、例えば図９（ｃ）に示すように、合計数ｂ１〜ｂ３１のうち０が５個以上連続している場合には安定度ＳＬを０と設定する。上記以外の場合であって１以下が５個以上連続する場合には安定度ＳＬを１と設定する。上記以外の場合であって２以下が５個以上連続する場合には安定度ＳＬを２と設定する。上記のいずれの条件にも相当しない場合には安定度ＳＬを７と設定する。
【００６０】
制御回路１４は、例えば図９（ｃ）に示すように、合計数ｂに基づいて、ハイレベル“Ｈ（１）“の安定度ＳＨを生成する。詳細には、制御回路１４は、例えば図９（ｃ）に示すように、合計数ｂ１〜ｂ３１のうち８が５個以上連続している場合には安定度ＳＨを０と設定する。上記以外の場合であって６以下が５個以上連続する場合には安定度ＳＨを１と設定する。上記以外の場合であって４以下が５個以上連続する場合には安定度ＳＨを２と設定する。上記のいずれの条件にも相当しない場合には安定度ＳＨを７と設定する。
【００６１】
制御回路１４は、これら安定度ＳＬおよび安定度ＳＨに基いて評価値Ｂを生成する。例えば制御回路１４は、数式（３）に示すように安定度ＳＬと安定度ＳＨを加算して評価値Ｂを生成する。
【００６２】
【数３】
評価値Ｂ＝安定度ＳＬ＋安定度ＳＨ                  …（３）
【００６３】
評価値Ｂは、受信信号の安定度を示す指標であり、小さいほど安定している状態を示す。
制御回路１４は、図９（ａ）に示したような場合には、安定度ＳＬが０、安定度ＳＨが０であるから、評価値Ｂは０である。
【００６４】
制御回路１４は、評価値Ａおよび評価値Ｂに基いて、受信信号の受信状態を示す評価値Ｃを生成する。例えば、制御回路１４は、数式（４）に示すように、評価値Ａおよび評価値Ｂを加算して評価値Ｃを生成する。評価値Ｃは小さいほど受信状態が良好であることを示す。
【００６５】
【数４】
評価値Ｃ＝評価値Ａ＋評価値Ｂ…（４）
【００６６】
図９（ａ）に示すような場合には、制御回路１４は、評価値Ａが０、評価値Ｂが０であるから、評価値Ｃは０であり、受信状態が極めて良好であると判別する。
【００６７】
制御回路１４は、例えば評価値Ｃが所定の値、例えば２よりも小さい場合には、極めて良好な受信状態であると判別し、評価したその受信周波数で受信するように長波受信回路１１０の受信周波数を設定する。
【００６８】
制御回路１４は、評価値Ｃが所定の値より大きい場合には、異なる周波数の標準電波をサンプリングして受信状態を評価し、異なる周波数の標準電波の受信状態を示す評価値Ｃと比較し、小さい方の評価値Ｃの周波数の標準電波を受信するような制御信号ＣＴＬ１１３を出力して標準電波受信系１１の受信周波数を設定する。
制御回路１４は、その設定された受信周波数で受信された標準電波時刻信号に基いて、時刻化が可能である場合には、発振回路１３による基本クロックに基づいて内部時計１４０１の各種カウンタのカウント制御を行う。
【００６９】
制御回路１４は、受信状態が基準範囲にない場合には、制御信号ＣＴＬ１を出力せずに、ドライブ信号ＤＲ１をドライブ回路１５に出力して、報知手段としての発光素子１６を発光させてユーザに標準電波信号がほとんど受信できない旨を報知させる。
【００７０】
制御回路１４は、受信された標準時刻情報に基づいて、内部時計１４０１の各種時刻カウンタで計時されている時刻情報と標準時刻情報とを比較し、誤差が生じている場合には、その誤差に応じて時刻カウンタを修正し、その修正に応じて時分針用モータ１３１に制御信号ＣＴＬ２として、修正のためのパルス信号Ｐを入力して早送り駆動等を行い、指針による時刻表示の修正を行う。
【００７１】
ドライブ回路１５は、ｐｎｐ型トランジスタＱ１および抵抗Ｒ１，Ｒ２を有する。
トランジスタＱ１のベースが抵抗素子Ｒ１を介して制御回路１４のドライブ信号ＤＲ１の出力ラインに接続され、コレクタが抵抗素子Ｒ２を介して、例えば発光ダイオードからなる発光素子１６のアノードに接続され、エミッタが電源電圧ＶＣＣの供給ラインに接続されている。発光素子１６のカソードは接地されている。
発光素子１６は、制御回路１４から一定の間隔で出力されたドライブ信号ＤＲ１に応じて点滅を行う。
【００７２】
ドライブ回路１８は、光透過型光検出センサ１４０のドライブ回路であり、例えばｐｎｐ型トランジスタＱ２、および抵抗素子Ｒ３，Ｒ４を有する。
トランジスタＱ２のエミッタは電源電圧ＶＣＣの供給ラインに接続され、ベースは抵抗素子Ｒ３を介して制御回路１４のドライブ信号ＤＲ２の出力ラインに接続され、コレクタは抵抗素子Ｒ４を介して光透過型光検出センサ１４０に接続されている。
ドライブ回路１８は、制御回路１４からドライブ信号ＤＲ２が出力された場合に、光透過型光検出センサ１４０に電力を供給する。
【００７３】
光透過型光検出センサ１４０は、図３に示すように、例えば下ケース１１１に取り付けられた発光ダイオードからなる発光素子１４２と、この発光素子１４２に対向するように、上ケース１１２に取り付けられたフォトトランジスタからなる受光素子１４４とを有する。
【００７４】
また、図２，３に示すように、６番車１２６、秒針車１２３、３番車１３３、分針車１３４、および時針車１３６の全てが同時に重なる位置に配置されている。そして、６番車１２６の長孔、秒針車１２３の長孔、３番車１３３の長孔、分針車１３４の長孔、および時針車の長孔が重なり合ったときに、発光素子１４２から発せられた検出光が受光素子１４４により受光されて、光透過型光検出センサ１４０がＯＮ状態になる。
制御回路１４は、この光透過型光検出センサ１４０の状態に応じて指針の位置検出を行う。
【００７５】
発光素子１４２のアノードは一端がｐｎｐ型トランジスタＱ２のコレクタに接続されたドライブ回路１８における抵抗素子Ｒ４の他端に接続され、カソードは接地されると共に、受光素子１４４のエミッタに接続されている。
【００７６】
受光素子１４４のコレクタは、制御回路１４に接続されている。この制御回路１４との接続ラインは検出信号ＤＴ１の制御回路１４への出力ラインとなっており、この出力ラインは抵抗Ｒ５を介して電源電圧ＶＣＣの供給ラインに接続されている。
発光素子１４２は、制御回路１４からロウレベルのドライブ信号ＤＲ２が出力されたとき発光するようにドライブ回路１８に接続されている。
【００７７】
次に、電波修正時計１のムーブメントおよび指針位置検出系の具体的な構成について、図２，３に関連付けて説明する。
時計本体１００は、図２，３に示すように、互いに対向して接続されて輪郭を形成する下ケース１１１、上ケース１１２、ならびに、下ケース１１１および上ケース１１２で形成される空間内において下ケース１１１と連結した状態で配置される中板１１３を有する。
【００７８】
空間内の下ケース１１１、中板１１３、上ケース１１２の所定の位置に対して第１指針である秒針を駆動するための第１駆動系、すなわち秒針駆動系１２０と、第２の指針である時分針を駆動するための第２の駆動系、すなわち時分針駆動系１３０と、光透過型光検出センサ１４０と、手動で時刻を修正するための手動修正系１５０となどが固定あるいは軸支されている。
【００７９】
秒針駆動系１２０は、前述したように、ステータ１２１ａと、このステータ１２１ａの一方側の脚片に巻回された駆動コイル１２１ｂと、ステータ１２１ａの他方の磁極間において回転自在に軸しされたロータ１２１ｃにより構成されている秒針用モータ１２１と、ロータ１２１ｃのピニオン１２１ｄに噛合する７番車１２７と、この７番車１２７に噛合した第１の検出用歯車（第１伝達歯車）としての６番車１２６と、この６番車１２６に噛合する中間車としての第１の５番車１２２と、この第１の５番車１２２に噛合した第２の検出用歯車としての秒針車１２３とにより構成されている。
【００８０】
ここで、秒針用モータ１２１は、制御回路１４から出力されたコントロール信号ＣＴＬ１に基づいて、その回転方向、回転角度、および回転速度が制御される。なお、本実施形態においては、駆動系の動きを考える際の最小単位として、制御回路１４がモータ１２１，１３１をパルス駆動するために１回パルス信号を発振することを１ステップと呼ぶことにする。ステップ間の間隔の実際の長さは通常運針時と時刻修正時の早送りの際では異なり、また、秒針駆動系と時分針駆動系においても異なる。
【００８１】
連続運針においては、秒針、すなわち秒針が取り付けられる秒針車１２３を滑らかに動かすために、ロータ１２１ｃから秒針車１２３までの減速比を大きくする必要がある。そのため、本実施形態においては、第１検出用歯車である６番車１２６と第２検出用歯車である秒針車１２３の間に、中間車として第１の５番車１２２を噛合させ減速比を稼いでいる。ちなみに本実施形態においては、６番車は４０ステップ／回転、秒針車は９６０ステップ／回転であって、ロータ１２１ｃから秒針車１２３までの減速比は１／４８０である。
本実施形態においては秒針の基準位置検出には６番車１２６と秒針車１２３に設けられた透過部および遮光部を利用する。
【００８２】
秒針すなわち秒針車１２３の基準位置は、６番車１２６と、秒針車１２３のみを使用して求める。その方法は、６番車１２６と秒針車１２３の長孔同士が重なり合う部分のある１点に注目してそこで位置検出用の検出用の検出光を検出すると考え、６番車１２６と秒針車１２３の長孔と遮光部によって生じる光検出センサのＯＮ，ＯＦＦのパターンを判別することにより基準位置を検出する。
【００８３】
第２駆動系である時分針駆動系１３０は、図２，３に示すように、略コの字型のステータ１３１ａ、このステータ１３１ａの一方側の脚片に巻回された駆動コイル１３１ｂ、このステータ１３１ａの他方の磁極間において回転自在に軸支されたロータ１３１ｃにより構成されてる時分針用モータ１３１と、ロータ１３１ｃのピニオン１３１ｄに噛合する中間車としての第２の５番車１３２と、この第２の５番車１３２に噛合した第３検出用歯車（第２伝達歯車）としての３番車１３３と、この３番車１３３に噛合する第４検出用歯車（第２指針車）としての分針車１３４と、この分針車１３４に噛合した中間車としての日の裏車１３５と、この日の裏車１３５に噛合する第５検出用歯車（第２指針車）としての時針車１３６とにより構成されている。
【００８４】
ここで、時分針用モータ１３１は、制御回路１４から出力される制御信号ＣＴＬ２に基づいて、その回転方向、回転角度、および回転速度が制御される。
３番車１３３には、半径方向に所定の幅を有し、円周方向にそれぞれ所定の長さだけ伸びている３個の円弧状の長孔と、それぞれの長孔同士の間の部分である遮光部が、３番車１３３の回転軸を中心とした同心円状に交互に配置されている。
【００８５】
分針車１３４には、半径方向に所定の幅を有し、円周方向にそれぞれ所定の長さだけ伸びている３個の円弧状の長孔と、それぞれ長孔同士の間の部分である遮光部が、分針車１３４の回転軸を中心とした同心円状に交互に配置されている。
【００８６】
時針車１３６には、半径方向に所定の幅を有し、円周方向にそれぞれ所定の長さだけ伸びている３個の円弧状の長孔と、それぞれ長孔同士の間の部分である遮光部が時針車１３６の回転軸を中心とした同心円状に交互に配置されている。
【００８７】
本実施形態においては、３番車１３３に、基準位置検出用の透過部として３つの長孔を設けている。秒針車１２３の場合と同様に、基準位置決定のために、３番車１３３と分針車１３４の長孔と遮光部によって生じる光検出センサのＯＮ，ＯＦＦパターンを区別して、そのパターンに応じて分針の基準位置例えば０分や、時針の基準位置例えば０時を指す位置を検出する。
【００８８】
手動修正系１５０は、上述の分針車１３４および時針車１３６に噛合する日の裏車１３５と、この日の裏車１３５に噛合する手動修正軸１５１とにより構成される。手動修正軸１５１は上ケース１１２の外部に位置づけられて使用者が直接指を触れることのできる頭部１５１ｂを有している。
この手動修正軸１５１は分針車１３４と同位相で回転するように構成されており、上述の時分針駆動系１３０により分針車１３４が駆動されているときには日の裏車１３５を介して分針車１３４と同位相で回転すると共に、時分針駆動系１３０の非作動時には、頭部１５１ｂを指で回転させることにより、指針位置を手動修正できるようになっている。
【００８９】
図１０は、図１に示した電波修正時計の動作を説明するためのフローチャートである。電波修正時計１の動作を図１０を参照しながら、制御回路１４の受信周波数の評価、および受信周波数の決定に関する動作を中心に説明する。
【００９０】
ステップＳＴ１において、制御回路１４では、例えば初期設定として、周波数４０ｋＨｚの標準電波を受信させる制御信号ＣＴＬ１１３を切換部１１３に出力して４０ｋＨｚ受信回路１１１を活性化させて信号Ｓ１１１を受信する。
【００９１】
ステップＳＴ２において、制御回路１４では、周波数選択および秒同期を含め、受信開始より３分以上経過したか否かが判別され、３分以上経過したと判別された場合には、受信周波数を確定せず（ＳＴ３）、一時受信周波数を４０ｋＨｚに設定し（ＳＴ４）、受信周波数の選択に係る処理を終了する。
【００９２】
一方、ステップＳＴ２において、制御回路１４では、長波受信回路１１０からの出力の安定待ちを行い、詳細には受信開始から５秒間経過した場合には（ＳＴ５）、標準電波を８秒間受信してサンプリングを行う（ＳＴ６）。
ステップＳＴ７において、制御回路１４では１秒毎のエッジｅｄ（両エッジ）を計測し、エッジｅｄのない秒を計測し（ＳＴ８）、図９に示したように、上記計数に基づいて評価値Ａを生成する（ＳＴ９）。
【００９３】
ステップＳＴ１０において、制御回路１４では、サンプリングタイミング毎のレベルの計測が行われ、図９に示したように”Ｌ”レベルの安定度ＳＬを評価し（ＳＴ１１）、”Ｈ”レベルの安定度ＳＨを評価し（ＳＴ１２）、上記判定結果より評価値Ｂを算出する（ＳＴ１３）。
ステップＳＴ１４において、制御回路１４では、以前の評価値Ａをメモリ１４０２に保存し、最新の評価値Ｃを算出する（ＳＴ１５）。
【００９４】
ステップＳＴ１６において、制御回路１４では、最初の受信であるか否かが判別される。最初の受信であると判別された場合には、評価値が２以下か否かが判別され（ＳＴ１７）、今回の周波数を受信用の周波数に設定し（ＳＴ１８）、秒同期処理へ進む（ＳＴ１９）。
【００９５】
一方、ステップＳＴ１７の判別において、評価値Ｃが２以上、つまり２よりも大きい場合には、標準電波の受信周波数を切換える。例えば、４０ｋＨｚから６０ｋＨｚに受信周波数を切換える制御信号ＣＴＬ１１３を標準電波受信系１１に出力して受信周波数を切換え（ＳＴ２０）、ステップＳＴ２の処理に戻り、切換えられた周波数で同様な処理を行う。
【００９６】
一方、ステップＳＴ１６の判別において、最初の受信ではないと判別された場合には、今回の評価値Ｃと前回の評価値Ｃとが比較され（ＳＴ２１）、比較の結果、異なる場合には、今回の評価値Ｃの方が前回の評価値Ｃよりも大きいか否かが判別され（ＳＴ２２）、今回の評価値Ｃが大きいと判別された場合には、ステップＳＴ１８の処理に進む。
【００９７】
一方、ステップＳＴ２２の判別において、今回の評価値Ｃの方が前回の評価値Ｃよりも小さいと判別された場合には、前回の周波数に確定され（ＳＴ２３）、ステップＳＴ１９の秒同期処理に進む。
一方、ステップＳＴ２１の判別において、今回の評価値Ｃと前回の評価値Ｃが一致する場合には、評価値が１５であるか否かが判別され（ＳＴ２４）、評価値が１５であると判別された場合には、受信状態が良くないと判別し、ステップＳＴ２０の処理に移行する。
【００９８】
一方、ステップＳＴ２４の判別において、評価値が１５ではないと判別された場合には、受信状態が良くないと判別し、ステップＳＴ１８の処理に移行する。
【００９９】
制御回路１４は、受信周波数が確定すると確定フラグをセットし、受信周波数の確定後、２４時間正常に受信できない場合には、確定フラグをクリアして再度、受信周波数の上述した選択処理を行う。
【０１００】
制御回路１４では、確定した受信周波数の標準電波信号に基づいて、例えば図９（ａ）に示したように、例えば、１１１１１１００００００となるパターンを検出し、その１から０への立下りエッジｅｄ１の時が、標準電波信号のゼロ点として、内部時計１４０１の秒同期処理を行う。
その後、制御回路１４は、分同期処理、時刻コード解析処理等を行い、標準時刻に応じて制御信号ＣＴＬ１，ＣＴＬ２をモータ１２１，１３１に出力し、早送り動作を行い、指針を標準時刻に設定する。
【０１０１】
図１１は、図１に示した電波修正時計の動作を説明するためのフローチャートである。図１１を参照しながら、受信周波数に応じた運針形態で秒針を運針させる際の動作を説明する。
【０１０２】
ステップＳＴ３１において、制御回路１４では、上述したように複数の異なる周波数の標準時刻電波信号の受信状態に基づいて、内部時計１４０１が計時する時刻情報を修正するための標準時刻電波信号の受信周波数を選択し、標準電波受信系１１に選択した受信周波数の標準時刻電波信号を受信させる。
【０１０３】
ステップＳＴ３２において、制御回路１４は、選択した標準時刻電波信号の受信周波数に基づいて運針形態を設定し、設定された運針形態に応じたパルス間隔の駆動パルス信号Ｐを秒針用モータ１２１に信号ＣＴＬ１として印加する。
詳細には、例えば制御回路１４は、選択した受信周波数が６０ｋＨｚの場合には運針形態として連続運針を設定し、図８（ａ），（ｂ）に示すように、秒針用モータ１２１に等間隔で駆動パルス信号Ｐを信号ＣＴＬ１として印加して秒針を連続運針させる。
【０１０４】
一方、ステップＳＴ３３において、制御回路１４は、例えば選択した受信周波数が４０ｋＨｚの場合には運針形態として擬似ステップ運針を設定し、図８（ｃ），（ｄ）に示すように、１秒間の前半の５００ｍｓに１６個のハイレベルの駆動パルス信号Ｐを印加し、１秒間の後半の期間ではハイレベルの駆動パルス信号Ｐを印加しない信号ＣＴＬ１を秒針用モータ１２１に入力して、秒針を擬似ステップ運針させる。
【０１０５】
制御回路１４は、運針切替スイッチ１２０２が操作された場合には、例えば連続運針から擬似ステップ運針に切替え、または逆に擬似ステップ運針から連続運針に切替える。また、他の運針形態に切替えてもよい。
【０１０６】
図１２は、図１に示した電波修正時計の指針位置検出処理を示すフローチャートである。図１２を参照しながら指針位置検出処理を説明する。
制御回路１４から時分用パルス信号出力パターンがセットされ（ＳＴ１０１）、ドライブ信号ＤＲ２がドライブ回路１８にロウレベルで出力される。これにより、トランジスタＱ２がオンし、発光素子１４２、すなわち発光ダイオードから検出光が発せられる。
【０１０７】
続いて、制御回路１４から制御信号ＣＴＬ１が出力されて秒針用モータ１２１がパルス駆動され（ＳＴ１０２）、受光素子１４４すなわちフォトトランジスタがオンし、検出信号ＤＴ１がハイレベル（電源電圧Ｖｃｃレベル）からロウレベルに切り換わったか否かの判別が行われる（ＳＴ１０３）。
【０１０８】
ここで、フォトトランジスタからの検出信号ＤＴ１がハイレベルのままに保持されている場合には、ステップ駆動を行うためにパルス数を加算する度に、フォトトランジスタからの検出信号ＤＴ１がハイレベル（電源電圧Ｖｃｃレベル）からロウレベルに切り換わったか否かの判別が行われる（ＳＴ１０４〜ＳＴ１０６）。
そして、パルス数が９に達してもフォトトランジスタからの検出信号ＤＴ１出力がハイレベル（電源電圧Ｖｃｃレベル）からロウレベルに切り換わらない場合には、時分針用モータ１３１が１ステップ（パルス）駆動され（ＳＴ１０７）、その後再び秒針用モータ１２１がステップ駆動され（ＳＴ１０２）て、秒針車１２３が回転駆動される。
【０１０９】
一方、ステップＳＴ１０３において、フォトトランジスタによる検出信号ＤＴ１がハイレベルからロウレベルに切り換わったと判別されると、秒針車１２３が早送りされ（ＳＴ１０８）、制御回路１４に予め記憶された出力パターンとの比較が行われる（ＳＴ１０９）。
比較の結果、得られた出力パターンと記憶された出力パターンとが適合しない場合は、ステップＳＴ１０８に戻り、再び秒針車１２３が早送りされる。
【０１１０】
一方、得られた出力パターンと記憶された出力パターンとが適合した場合には、その時点（５ステップ目でもフォトトランジスタにより検出信号ＤＴ１のレベルがロウレベルに切り換わらない場合において次にフォトトランジスタの出力がロウレベルに切り換わった時点）で、制御信号ＣＴＬ１の出力が停止されて、秒針車１２３の回路駆動が停止される。そして、秒針車１２３が帰零位置で停止する（ＳＴ１１０）。このとき、秒針は所定時刻例えば正時（０秒）の位置に修正され、秒針の原点検索処理が終了する。
【０１１１】
続いて、制御回路１４から制御信号ＣＴＬ２が出力されて時分針用モータ１３１のみが所定の出力周波数でパルス駆動されて分針車１３４が早送りされる（ＳＴ１１１）。
【０１１２】
そして、フォトトランジスタからの出力パターンと制御回路１４に予め記憶された出力パターンとの比較が行われる（ＳＴ１１２）。
比較の結果、得られた出力パターンと記憶された出力パターンとが適合しない場合は、ステップＳＴ１１１の処理に戻り、再び分針車１３４が早送りされる。
【０１１３】
一方、ステップＳＴ１１２の比較の結果、得られた出力パターンと記憶された出力パターンとが適合した場合は、その時点で、制御信号ＣＴＬ２の出力が停止されて、時分針用モータ１３１が停止されて、分針車１３４および時針車１３６の駆動が停止される（ＳＴ１１３）。
【０１１４】
ここで、出力パターンと予め記憶された出力パターンとの比較による時分針車の位置検出処理は、３種類のパターンのいずれかに合わせることにより行われる。
【０１１５】
図１３は、図１に示した電波修正時計の検出光の出力パターンを説明するための図である。
すなわち、分針車１３４によるフォトトランジスタの出力パターンは、図１３（ａ）に示すように、遮光部が作用するオフの幅として、２つの幅狭のＢ部と１つの幅広のＡ部とが交互に現れるようなパターンとなり、また、時針車１３６によるフォトトランジスタの出力パターンは、図１３（ｂ）に示すように、遮光部が作用するオフの幅が３種類のＤ部、Ｅ部、Ｃ部が所定間隔をおいて交互に現れるようなパターンとなり、両者を合成した出力パターンは、図１３（ｃ）に示すように、Ｄ部，Ｂ部およびＡ部が組み合わされたパターンと、Ｅ部，Ｂ部およびＡ部が組み合わされたパターンと、Ｃ部，Ｂ部およびＡ部が組み合わされたパターンの３種類が所定の間隔をおいて現れるパターンとなる。
なお、図１３に示すパターンのうちオンとなるパターンの部分は、実際には３番車１３３の遮光部によりオフとなる部分があるので、歯抜け状のパターンとなっている。
【０１１６】
また、例えば分針車１３４および時針車１３６の基準位置として、図１３に示すように、０時００分、４時００分、および８時００分の位置に設定されている。
【０１１７】
Ｄ部，Ｂ部およびＡ部の組み合わせからなるパターンが確認されたときを例えば４時００分、Ｅ部，Ｂ部およびＡ部の組み合わせからなるパターンが確認されたときをたとえば８時００分、Ｃ部，Ｂ部およびＡ部の組み合わせからなるパターンが確認されたときを、たとえば１２時００分として予め設定しておけば、これらのパターンのいずれかを検出したときに、時分針用モータ１３１を停止させることで、分針車１３４および時針車１３６すなわち分針および時針を所定の時刻に時刻修正することができる。
【０１１８】
そして、時分針用モータ１３１を停止させた後、制御回路１４によるドライブ信号ＤＲ２がハイレベルに切り換えられる。
これにより、ドライブ回路１８のトランジスタＱ２がオフし、発光ダイオードの発光が停止される（ＳＴ１１４）。
【０１１９】
以上説明したように、設定された運針形態をもって秒針を駆動する秒針駆動系１２０と、時分針を駆動する時分針駆動系１３０と、複数の異なる周波数の標準時刻電波信号を選択的に受信する標準電波受信系１１と、標準電波受信系１１が受信した標準時刻電波信号の受信周波数に基づいて秒針の運針形態を設定し、設定された運針形態で秒針駆動系１２０の秒針用モータ１２１に運針形態に応じたパルス間隔の駆動パルス信号Ｐを印加して秒針を運針させる制御回路１４とを設けたので、異なる周波数の標準時刻電波信号を選択的に受信して時刻修正を行う際に、別途、受信周波数用の表示装置を設けることなく、秒針の運針形態により受信周波数をユーザに示すことができる。
【０１２０】
また、制御回路１４は、受信状態に応じて受信周波数を設定し、その設定した受信周波数に基づいて秒針の運針形態を自動的に切替えるので、ユーザが煩雑な操作を行うことなく受信周波数が自動で設定され、ユーザは秒針の運針形態を見ることにより簡単に受信周波数を確認することができる。
【０１２１】
さらに、運針形態を切替える運針切替スイッチ１２０２を設け、制御回路１４は運針切替スイッチ１２０２が操作されると秒針の運針形態を切替るので、ユーザの嗜好に合った運針形態で秒針を駆動させることができる。
【０１２２】
なお、本発明は本実施形態に限られるものではなく、任意好適な種々の変更が可能である。
本実施形態では、秒針用モータ１２１のロータから秒針車までの減速比が１／４８０であったが、この形態に限られるものではない。例えば減速比は略１／６０以下であれば、駆動パルス信号Ｐの印加タイミングを変えることにより、所望の運針形態に設定することができる。
【０１２３】
【発明の効果】
本発明によれば、異なる周波数の標準時刻電波信号を選択的に受信して時刻修正を行う際に、別途、受信周波数用の表示装置を設けることなく、受信周波数を示すことができる電波修正時計を提供することができる。
また、ユーザの嗜好に合った運針形態で秒針を駆動する電波修正時計を提供することができる。
【図面の簡単な説明】
【図１】本発明に係る電波修正時計の一実施形態の電気的な機能ブロック図である。
【図２】図１に示した電波修正時計の構成図である。
【図３】図２に示した電波修正時計の断面の拡大図である。
【図４】本発明に係る制御回路における電波受信状態を説明するための図である。
【図５】標準時刻電波信号の時刻コードの一例を示している。（ａ）は毎時１５，４５分以外のフォーマット、（ｂ）は毎時１５分，４５分のフォーマットを示す。
【図６】図２に示した電波修正時計の駆動用モータおよび制御回路を模式的に示した図である。
【図７】図２に示した電波修正時計の駆動用モータのロータ付近の拡大図である。
【図８】図１に示した電波修正時計の運針形態を説明するための図である。
【図９】図１に示した電波修正時計の受信状態に応じた評価値の生成処理を説明するための図である。
【図１０】図１に示した電波修正時計の動作を説明するためのフローチャートである。
【図１１】図１に示した電波修正時計の動作を説明するためのフローチャートある。
【図１２】図１に示した電波修正時計の指針位置検出処理を示すフローチャートである。
【図１３】図１に示した電波修正時計の検出光の出力パターンを説明するための図である。
【符号の説明】
１…電波修正時計、１１…標準電波受信系、１１ａ…受信アンテナ、１１０…長波受信回路、１１１…４０ｋＨｚ受信回路、１１２…６０ｋＨｚ受信回路、１２…スイッチ群、１３…発振回路、１４…制御回路、１５…ドライブ回路、１６…発光素子、１７…バッファ回路、１８…ドライブ回路、１００…時計本体、１１１…下ケース、１１２…上ケース、１１３…中板、１２０…第１駆動系（秒針駆動系）、１２１…秒針用モータ（第一駆動源）、１２２…第１の５番車（第一伝達歯車、第一検出用歯車）、１２３…秒針車（第２検出用歯車、第一指針車）、１２６…６番車、１２７…７番車、１３０…第２駆動系（時分針駆動系）、１３１…時分針用モータ（第２駆動源）、１３２…第２の５番車、１３３…３番車、１３４…分針車（第２指針車）、１３５…日の裏車、１３６…時針車（第２指針車）、１４０…光検出センサ、１４２…発光素子、１４３…回路基板、１４４…受光素子、１５０…手動修正系、１５１…手動修正軸、１２０１…受信修正スイッチ、１２０２…運針切替スイッチ、１４０１…内部時計、１４０２…メモリ。
【図１】
2005024319.tif 000007
【図２】
2005024319.tif 000008
【図３】
2005024319.tif 000009
【図４】
2005024319.tif 000010
【図５】
2005024319.tif 000011
【図６】
2005024319.tif 000012
【図７】
2005024319.tif 000013
【図８】
2005024319.tif 000014
【図９】
2005024319.tif 000015
【図１０】
2005024319.tif 000016
【図１１】
2005024319.tif 000017
【図１２】
2005024319.tif 000018
【図１３】
2005024319.tif 000019